(57)【要約】【課題】生ごみ水切り器の生ごみは、頻繁に水切り生ごみが発生すると水切り不十分となる。また、生ごみ液汁は悪臭を発生し、はえ、ゴキブリを誘導するなど問題がある。【解決手段】新規形状の生ごみ水切り容器を上下に２個重ねて使用する。１個が水切り途中の状態で新たな水切り必要な生ごみが発生しても、もう１個の生ごみ水切り容器を使い上下重ねの下側にすることで、上側の生ごみ水切り容器の生ごみは継続して水切りをすることができる。また、生ごみの水切り容器を覆い隠す容器型カバーで、内側にある生ごみ容器と流し台の排水口をシール密閉することで悪臭を遮断し、生ごみ水切り容器からの生ごみ液汁は排水口にじかに流れるようにする。結果として、はえ、ゴキブリなどを寄せつけることがなくなり、台所外観も生ごみが見えなくなるので良くなる。このようにして問題解決できる生ごみ水切り器を提供することができる。【選択図】図１
2015075323.tif 000002
【特許請求の範囲】
【請求項１】
生ごみの水切り用の穴が開いた容器を上下に２個以上重ねて使う生ごみ容器であり、上下に重ねた時に容器がずれて落ちないように、容器の上下部分にインロー勘合、はめ合わせなどの位置ずれ防止形状をもつことを特徴とするものである。
【請求項２】
生ごみの水切り用の穴が開いた容器を内側に納めて覆い隠す底のある筒状の容器型カバーであり、容器型カバーの開口部側は流し台とのあいだでシール機能をもたせるため、流し台の排水口より大きな径でつば状のフランジ形状をしている。あるいはシール用のゴムを追加して付けていたりしたことを特徴とするものである。
【発明の詳細な説明】
【技術分野】
【０００１】本発明は、台所の流し台で生ごみの水切りをおこなう容器に関するものである。【０００２】本発明における生ごみ水切り器は、水切り用穴の開いた容器を上下に２個以上ずれないように重ね、生ごみの水切りを十分おこなうものである。【０００３】本発明では、上記の上下に２個以上重ねられた生ごみ水切り容器全体をおおう筒状の容器型カバーを使うことで、生ごみ水切り器からの悪臭を防止をしたり、はえ、ゴキブリなどの害虫発生を抑制したり、生ごみを見えなくすることで台所の外観を改善したりする新規な構造による生ごみ水切り器を提供するものである。
【背景技術】
【０００４】従来技術の台所用生ごみ水切り器としては、三角コーナーと呼ばれるものなどいろいろなタイプのものが存在する。【０００５】しかしながら、従来品を使い生ごみを水切りした場合、生ごみがある程度水切りできた時に、新たな汁物生ごみが発生し追加水切りしてしまうことが多い。従って容器内の生ごみは常に水切り不十分な状態になってしまう。また、はえ、ゴキブリなどの害虫を寄せ付けないようにするため蓋のある生ごみ水切り器があるが、容器の水切り穴から生ごみの液汁が流れ出る為、悪臭を発生し、はえ、ゴキブリなどが液汁に引き寄せられることになるので蓋では対応不十分である。
【発明の概要】
【発明が解決しようとする課題】
【０００６】本発明は上述の点に鑑みてなされたもので、従来技術の流し台にある生ごみ水切り容器では、水切り必要な生ごみが発生するたびに水にさらされることになり、せっかく水切りが進んでいた生ごみは、追加水切り生ごみの発生で、またもとの水切りできていない状態にもどってしまっていた。本発明はこのような従来品の不具合を解決することができる器具を提供するものである。【０００７】従来技術には、はえやゴキブリなどの害虫を寄せ付けないようにするため蓋のある生ごみ水切り容器がある。しかしながらこの容器には水切り用の穴が開いており、穴から生ごみの液汁が容器の外に流れ出す。液汁は悪臭を発生し、はえやゴキブリなどの害虫を引き寄せてしまうことになるので蓋では不十分であった。本発明はこのような不具合を解決することができる器具を提供するものである。
【課題を解決するための手段】
【０００８】本発明は従来品の生ごみ水切り容器で生ごみが水切り不十分な状態になってしまうという課題を解決するために、生ごみ水切り容器を２個以上セットで使う。水切りが進んでいる生ごみがある場合、その容器には生ごみが完全に水切りできるまで新たに発生した生ごみは追加して入れない。新たに発生した生ごみは、別の生ごみ容器を使うことで水切りを始めることができる。２個以上の生ごみ容器は、そのまま流し台におくと容器だけで流し台のスペースを奪ってしまうので、上下に２個以上の生ごみ容器を重ね合わせて使う。そして生ごみ容器は上下に重ねた時にずれて落ちないように、容器の上下部分にインロー勘合、はめ合わせなどの位置ずれ防止形状をもつものである。【０００９】本発明は従来品の生ごみ水切り容器では、はえやゴキブリなどの害虫を引き寄せてしまうという課題を解決するために、生ごみ水切り容器全体を覆い隠す底のある筒状の容器型カバーを使用する。容器の開口部側はシール機能をもたせるため、つば状のフランジ形状をしていたり、ゴムを追加して付けていたりしたものである。
【発明の効果】
【００１０】上記構成による効果は次のごとくである。
本発明の生ごみ水切り器は、生ごみの水切りのための穴の開いた容器を上下に２個以上重ねて使用する。水切り容器を２個以上使用することで１個が水切り途中の状態で新たな汁物などの水切り必要な生ごみが発生した場合、別の生ごみ水切り容器に生ごみを入れて上下重ねの下側にする。こうすることである程度水切り状態にあった生ごみは、上下重ねの上側の水切り容器の中で継続して水切りをすることになり、流し台のスペースを奪うことなく、十分な生ごみの水切りが可能となる。そして、しっかり水切りされた生ごみは、焼却施設で焼却される時、二酸化炭素の発生を抑制することになり、焼却する時の燃料節約にもなる。【００１１】本発明の生ごみ水切り器は、上下に重ねられた生ごみの水切り容器を覆い隠す容器型カバーを使用することで次のような効果がある。台所作業が終わったら、本発明の生ごみ水切り器全体を流し台（シンク）排水口の真上に移動する。移動した生ごみ水切り器の容器型カバーは、開口部側のフランジ形状、あるいは追加で付けたゴムによって排水口をシールする機能をもつことになる。従って容器型カバーの内側の生ごみや流し台の排水口からの悪臭を遮断することができる。また、生ごみ水切り容器からの生ごみ液汁は、排水口にじかに流されていくことになり容器型カバーの外側には漏れない。結果として、生ごみ液汁がはえ、ゴキブリなどを寄せつけることがなくなり、台所外観も生ごみが見えなくなるので良くなる。
【発明の実施形態及び実施例】
【００１２】本発明の実施の形態を図１、図２、図３に基づき説明する。図１は生ごみ水切り器の構成断面図、図２は生ごみ水切り容器の斜視図、図３は容器型カバーの斜視図である。
【００１３】本発明は生ごみ水切り穴ａの開いた生ごみ水切り容器１を上下に２個重ねて使用する。生ごみ水切り容器１は、重ねて使用するときずれ落ちないようにインローはめあいｂ形状をもつ。そして上下に重ねられた生ごみ水切り容器１を内側に納めて覆い隠す容器型カバー２の開口部側は、流し台の排水口より大きな径であり、シール機能をもたせるため、つば状のフランジｃ形状をしている。あるいは、シール機能をもたせるためゴム３を追加して付けていたりする。
【図面の簡単な説明】
【００１４】
【図１】生ごみ水切り器の構成断面図
【図２】生ごみ水切り容器の斜視図
【図３】容器型カバーの斜視図
【符号の説明】
【００１５】１  生ごみ水切り容器
２  容器型カバー
３  ゴム
ａ  水抜き穴
ｂ  インローはめあい
ｃ  フランジ
【図１】
2015075323.tif 000003
【図２】
2015075323.tif 000004
【図３】
2015075323.tif 000005